(57)【要約】  フレキシブル基板（１０１）は、表面または内部に配線を含む基板（１）と、基板（１）の表面または内部に配置され、前記配線に電気的に接続された部品（３）と、基板（１）の表面に設けられた外部接続導体（４）とを備える。平面的に見て基板（１）は、外部接続導体（４）が配置された基幹部（１１）と、基幹部（１１）から張り出した張出部（１２）とを含む。張出部（１２）は、基幹部（１１）との接続箇所に設けられた第１くびれ部（２１）と、第１くびれ部（２１）の先に設けられ、第１くびれ部（２１）より幅が広くなった第１幅広部（３１）とを有し、部品（３）は第１幅広部（３１）に配置されている。
2014171334.tif 000002
【特許請求の範囲】
【請求項１】
表面または内部に配線を含む基板と、
前記基板の表面または内部に配置され、前記配線に電気的に接続された部品と、
前記基板の表面に設けられた外部接続導体とを備え、
平面的に見て前記基板は、前記外部接続導体が配置された基幹部と、前記基幹部から張り出した張出部とを含み、
前記張出部は、前記基幹部との接続箇所に設けられた第１くびれ部と、前記第１くびれ部の先に設けられ、前記第１くびれ部より幅が広くなった第１幅広部とを有し、前記部品は前記第１幅広部に配置されている、フレキシブル基板。
【請求項２】
前記外部接続導体による他部材への接続を行なうために前記基幹部を曲げた際に前記第１くびれ部を通じて前記張出部内に曲げが伝わる領域を避けるように、前記部品が配置されている、請求項１に記載のフレキシブル基板。
【請求項３】
前記張出部は、前記第１幅広部の先に第２くびれ部を有し、前記第２くびれ部の先に第２幅広部を有し、前記第２幅広部にも前記部品が配置されている、請求項１または２に記載のフレキシブル基板。
【請求項４】
前記基幹部から前記第１くびれ部の側を見たときに、前記第２くびれ部は前記第１くびれ部とは重ならない位置にある、請求項３に記載のフレキシブル基板。
【発明の詳細な説明】
【技術分野】
【０００１】
本発明は、フレキシブル基板に関するものである。
【背景技術】
【０００２】
従来技術に基づく多層基板の一例が特開２０１２−１９５４６８号公報（特許文献１）に記載されている。このような多層基板であって、全体として可撓性を有するものはフレキシブル基板と呼ばれる。フレキシブル基板は一般的に曲げて使用されたり繰り返し曲げられる条件下で使用されたりする。
【先行技術文献】
【特許文献】
【０００３】
【特許文献１】特開２０１２−１９５４６８号公報
【発明の概要】
【発明が解決しようとする課題】
【０００４】
部品を内蔵したフレキシブル基板が曲げられて他の部材に接続される際には、内蔵されている部品にも、部品と積層体内部の導体パターンとの接続箇所にも曲げ応力が生じる。このような曲げ応力がある程度以上大きくなると、電気的接続を担う箇所が破断するなどして、部品と積層体内部の導体パターンとの間での接続の信頼性が低下するおそれがあった。【０００５】
そこで、本発明は、フレキシブル基板が他の部材に実装されるために曲げられることによる電気的接続の信頼性の低下を抑えることを目的とする。
【課題を解決するための手段】
【０００６】
上記目的を達成するため、本発明に基づくフレキシブル基板は、表面または内部に配線を含む基板と、上記基板の表面または内部に配置され、上記配線に電気的に接続された部品と、上記基板の表面に設けられた外部接続導体とを備え、平面的に見て上記基板は、上記外部接続導体が配置された基幹部と、上記基幹部から張り出した張出部とを含み、上記張出部は、上記基幹部との接続箇所に設けられた第１くびれ部と、上記第１くびれ部の先に設けられ、上記第１くびれ部より幅が広くなった第１幅広部とを有し、上記部品は上記第１幅広部に配置されている。
【発明の効果】
【０００７】
本発明によれば、基幹部が曲げられた場合にも、第１幅広部へと伝わる曲げは、第１くびれ部を介して伝わるわずかなものに限られるので、第１幅広部に配置されている部品およびその電気的接続箇所に大きな曲げ応力が生じることは回避される。したがって、フレキシブル基板が他の部材に実装されるために曲げられることによる電気的接続の信頼性の低下を抑えることができる。
【図面の簡単な説明】
【０００８】
【図１】本発明に基づく実施の形態１におけるフレキシブル基板の平面図である。
【図２】本発明に基づく実施の形態１におけるフレキシブル基板を曲げた状態の斜視図である。
【図３】本発明に基づく実施の形態１におけるフレキシブル基板の第１の変形例の平面図である。
【図４】本発明に基づく実施の形態１におけるフレキシブル基板の第２の変形例の平面図である。
【図５】本発明に基づく実施の形態１におけるフレキシブル基板の第３の変形例の平面図である。
【図６】本発明に基づく実施の形態１におけるフレキシブル基板の第４の変形例の平面図である。
【図７】本発明に基づく実施の形態２におけるフレキシブル基板の平面図である。
【図８】本発明に基づく実施の形態２におけるフレキシブル基板を曲げた状態の斜視図である。
【図９】本発明に基づく実施の形態２におけるフレキシブル基板の第１の変形例の平面図である。
【図１０】本発明に基づく実施の形態２におけるフレキシブル基板の第２の変形例の平面図である。
【図１１】本発明に基づく実施の形態２におけるフレキシブル基板の第３の変形例の平面図である。
【図１２】本発明に基づく実施の形態２におけるフレキシブル基板の第４の変形例の平面図である。
【図１３】本発明に基づく実施の形態２におけるフレキシブル基板の第５の変形例の平面図である。
【図１４】本発明に基づく実施の形態３におけるフレキシブル基板の平面図である。
【図１５】本発明に基づく実施の形態３におけるフレキシブル基板の変形例の平面図である。
【図１６】本発明に基づく実施の形態４におけるフレキシブル基板の平面図である。
【図１７】本発明に基づく実施の形態４におけるフレキシブル基板の変形例の平面図である。
【図１８】本発明に基づく実施の形態５におけるフレキシブル基板の平面図である。
【図１９】本発明に基づく実施の形態６におけるフレキシブル基板の平面図である。
【図２０】本発明に基づく実施の形態７におけるフレキシブル基板の平面図である。
【図２１】本発明に基づく実施の形態７におけるフレキシブル基板の変形例の平面図である。
【発明を実施するための形態】
【０００９】
（実施の形態１）
図１〜図２を参照して、本発明に基づく実施の形態１におけるフレキシブル基板について説明する。本実施の形態におけるフレキシブル基板の平面図を図１に示す。
【００１０】
本実施の形態におけるフレキシブル基板１０１は、表面または内部に配線（図示せず）を含む基板１と、基板１の表面または内部に配置され、前記配線に電気的に接続された部品３と、基板１の表面に設けられた外部接続導体４とを備える。平面的に見て基板１は、外部接続導体４が配置された基幹部１１と、基幹部１１から張り出した張出部１２とを含む。張出部１２は、基幹部１１との接続箇所に設けられた第１くびれ部２１と、第１くびれ部２１の先に設けられ、第１くびれ部２１より幅が広くなった第１幅広部３１とを有する。部品３は第１幅広部３１に配置されている。
【００１１】
基板１は、樹脂多層基板であってもよいが、これに限らず、フレキシブルな基板でありさえすれば、他の種類の基板であってもよい。多層基板でなく単層の基板であってもよい。基板１が樹脂多層基板である場合は、この樹脂多層基板は、たとえば熱可塑性樹脂層を積層して熱圧着することによって形成したものであってもよい。
【００１２】
本実施の形態では、第１くびれ部２１は、図１に示したように張出部１２の根元において左右両側から切込み９ａ，９ｂを入れることによって形成されたものである。
【００１３】
フレキシブル基板１０１において外部接続導体４を他の部材に接続するために基幹部１１を曲げた状態の一例を図２に示す。
【００１４】
本実施の形態では、基幹部１１から張り出した張出部１２が第１くびれ部２１とその先に設けられた第１幅広部３１とを有しているので、基幹部１１が曲げられた場合にも、第１幅広部３１へと伝わる曲げは、第１くびれ部２１を介して伝わるわずかなものに限られる。一方、部品３は第１幅広部３１に配置されているので、部品３には曲げが伝わりにくく、部品３および部品３に対する電気的接続箇所に大きな曲げ応力が生じることは回避される。したがって、フレキシブル基板１０１が他の部材に実装されるために曲げられることによる電気的接続の信頼性の低下を抑えることができる。
【００１５】
本発明によって、曲げられることによる電気的接続の信頼性の低下を抑えることができれば、従来のように基板の部品実装部を硬くするために樹脂層の積層枚数を増やしたり、樹脂層に含まれる樹脂の種類を硬いものに変えたりすることが不要となりコスト的に有利となる。本発明を適用すれば、フレキシブル基板を曲げる際に電気的接続が損なわれないように配慮しなければならない度合いが減るので、フレキシブル基板を他の部材に接続するための曲げ方がより自由になり、接続時の姿勢の自由度が高まる。
【００１６】
基板が樹脂基板である場合、従来は基板の部品実装部を硬くするために部品実装部を厚くしてその結果、部品を実装する底面に盛り上がりが生じる傾向があり、その盛り上がりによって実装不良となることもあった。しかし、本発明によれば、基板の部品実装部を硬くする必要はないので、部品実装部を薄くすることができ、底面の盛り上がりが生じないので、盛り上がりによる実装不良も抑制することができる。
【００１７】
また、本発明によって、曲げられることによる電気的接続の信頼性の低下を抑えることができる場合には、基板の部品実装部を薄くすることができるので、放熱性能の改善にもつながる。
【００１８】
（変形例）
図１および図２で示した例では、基板１が１つの張出部１２のみを備え、全ての部品３がこの１つの張出部１２の中に集中的に配置されていたが、これはあくまで一例に過ぎない。基板１が複数の張出部１２を備える構成であってもよい。
【００１９】
本実施の形態の変形例としては、たとえば、図３に示すようなフレキシブル基板１０２であってもよい。フレキシブル基板１０２においては、複数の張出部１２が設けられており、複数の張出部１２の各々に部品３が分散して配置されている。この構成を採用することにより、基幹部１１から側方に張り出す長さを小さく抑えることができ、フレキシブル基板１０２全体の幅を小さくすることができる。
【００２０】
なお、張出部１２は、基幹部の同じ側に張り出しているとは限らず、どちら側から張り出していてもよい。フレキシブル基板１０２においては、図３に示すように、基幹部１１に対して図中上側にも図中下側にも張出部１２が存在する。
【００２１】
本実施の形態の変形例は、図４に示すフレキシブル基板１０３のようなものであってもよい。フレキシブル基板１０３では、部品１個ごとに別々に張出部１２が設けられている。この構成を採用することにより、基幹部１１から側方に張り出す長さをさらに小さく抑えることができ、フレキシブル基板１０３全体の幅を小さくすることができる。
【００２２】
さらに本実施の形態の変形例は、図５に示すフレキシブル基板１０４のようなものであってもよい。張出部１２は基幹部１１の中間部から側方に張り出しているとは限らず、フレキシブル基板１０４における張出部１２のように、基幹部１１の端部から側方に張り出しているものであってもよい。
【００２３】
これまで本実施の形態では、基幹部１１が短冊状であるものを例に挙げて説明してきたが、基幹部１１は短冊状に限らず、使用目的に応じて曲げることができる形状でありさえすれば任意の形状であってよい。したがって、本実施の形態の変形例は、たとえば図６に示すフレキシブル基板１０５のようなものであってもよい。フレキシブル基板１０５においては、基幹部１１は折れ曲がった部分を含む形状となっている。フレキシブル基板１０５においては、張出部１２は、基幹部１１の長手方向と平行に延在する長手形状を有している。フレキシブル基板１０５の張出部１２においては、切込み９ａ，９ｂが両側からそれぞれ張出部１２の長手方向と平行に入ることによってくびれ部が形成されている。
【００２４】
（実施の形態２）
図７および図８を参照して、本発明に基づく実施の形態２におけるフレキシブル基板について説明する。本実施の形態におけるフレキシブル基板の平面図を図７に示す。
【００２５】
本実施の形態におけるフレキシブル基板２０１は、基本的な構成は実施の形態１で説明したフレキシブル基板１０１の構成と共通するが、以下の点で異なる。すなわち、フレキシブル基板２０１においては、外部接続導体４による他部材への接続を行なうために基幹部１１を曲げた際に第１くびれ部２１を通じて張出部１２内に曲げが伝わる領域８を避けるように、部品３が配置されている。本実施の形態では、第１くびれ部２１は、張出部１２の根元において一方の側方から切込み９を入れることによって形成されたものである。
【００２６】
本実施の形態では、基幹部１１が直線的な短冊状であって、基幹部１１の両端に設けられた外部接続導体４をそれぞれ他の部材に接続するために、基幹部１１を単純に曲げることを前提としているので、「基幹部を曲げた際に第１くびれ部を通じて張出部内に曲げが伝わる領域」は、図７に示すように、第１くびれ部２１から基幹部１１の長手方向９１に垂直な矢印９２の向きに張出部１２を見たときに見通せる領域８のみに限られる。張出部１２内において、部品３は、領域８を避けて配置されている。フレキシブル基板２０１において外部接続導体４を他の部材に接続するために基幹部１１を曲げた状態の一例を図８に示す。
【００２７】
図７および図８に示した例では、領域８は基幹部１１の長手方向９１に垂直な方向に延在して規定されているが、曲げ方が異なれば領域８が延在する方向も変わる。
【００２８】
本実施の形態では、基幹部１１が曲げられた場合にも、第１幅広部３１へと伝わる曲げは、第１くびれ部２１を介して伝わるわずかなものに限られる。部品３は、張出部１２内で基幹部１１の曲げが伝わる領域８を避けるように配置されているので、部品３には曲げがほぼ伝わらず、部品３および部品３に対する電気的接続箇所に大きな曲げ応力が生じることは回避される。したがって、フレキシブル基板２０１が他の部材に実装されるために曲げられることによる電気的接続の信頼性の低下を抑えることができる。
【００２９】
図７および図８で示した例では、基板１が１つの張出部１２のみを備え、全ての部品３がこの１つの張出部１２の中に集中的に配置されていたが、これはあくまで一例に過ぎない。基板１が複数の張出部１２を備える構成であってもよい。
【００３０】
本実施の形態の変形例としては、たとえば、図９に示すようなフレキシブル基板２０２であってもよい。フレキシブル基板２０２においては、複数の張出部１２が設けられており、複数の張出部１２の各々に部品３が分散して配置されている。この構成を採用することにより、基幹部１１から側方に張り出す長さを小さく抑えることができ、フレキシブル基板２０２全体の幅を小さくすることができる。
【００３１】
本実施の形態のさらなる変形例は、図１０に示すフレキシブル基板２０３または図１１に示すフレキシブル基板２０４のようなものであってもよい。フレキシブル基板２０３，２０４では、部品１個ごとに別々に張出部１２が設けられている。この構成を採用することにより、基幹部１１から側方に張り出す長さをさらに小さく抑えることができ、フレキシブル基板２０３，２０４全体の幅を小さくすることができる。図１１に示すフレキシブル基板２０４では、ある張出部１２ともうひとつの張出部１２が基幹部１１を挟んで対称な位置に配置されている。ただし、くびれ部を形成する切込みが互いに逆の側から入っているので、部品３の位置は対称となっていない。
【００３２】
本実施の形態のさらなる変形例は、図１２に示すフレキシブル基板２０５のようなものであってもよい。張出部１２は基幹部１１の中間部から側方に張り出しているとは限らず、フレキシブル基板２０５における張出部１２のように、基幹部１１の端部から側方に張り出しているものであってもよい。
【００３３】
これまで本実施の形態では、基幹部１１は短冊状であるものを例に挙げて説明してきたが、基幹部１１は短冊状に限らず、使用目的に応じて曲げることができる形状でありさえすれば任意の形状であってよい。したがって、本実施の形態のさらなる変形例は、図１３に示すフレキシブル基板２０６のようなものであってもよい。フレキシブル基板２０６においては、基幹部１１は折れ曲がった部分を含む形状となっている。フレキシブル基板２０６においては、張出部１２は、基幹部１１の長手方向と平行に延在する長手形状を有している。フレキシブル基板２０６の張出部１２においては、切込み９が一方の側から張出部１２の長手方向と平行に入ることによってくびれ部が形成されている。
【００３４】
（実施の形態３）
実施の形態１，２では、張出部のくびれ部は、一方の側または両方の側から入る切込みによって形成されている例を示してきたが、くびれ部を形成するのは切込みとは限らない。何らかの切欠きが設けられることによってくびれ部が形成されていてもよい。
【００３５】
図１４を参照して、本発明に基づく実施の形態３におけるフレキシブル基板について説明する。図１４に示すフレキシブル基板３０１では、大きく切り欠いた形状の切欠き部１０が設けられることによって第１くびれ部２１が設けられている。
【００３６】
さらに、切欠き部１０の形状は矩形とは限らず、他の形状であってもよい。図１５に示すフレキシブル基板３０２では、三角形の切欠き部１０が設けられることによって第１くびれ部２１が形成されている。
【００３７】
（実施の形態４）
実施の形態１〜３では、張出部が基幹部の長手方向に対して垂直に延在している例を示してきたが、張出部が延在する方向は、基幹部の長手方向に対して垂直とは限らない。張出部は、基幹部の長手方向に対して任意の方向に延在するものであってよい。そもそも基幹部に何らかの長手方向があるとは限らない。基幹部自体も任意の形状であってよい。
【００３８】
図１６を参照して、本発明に基づく実施の形態４におけるフレキシブル基板について説明する。図１６に示すフレキシブル基板４０１では、図中左右方向を長手方向とする基幹部１１に対して斜め方向に張出部１２が延在している。
【００３９】
図１７に示すフレキシブル基板４０２のようなものであってもよい。
（実施の形態５）
図１８を参照して、本発明に基づく実施の形態５におけるフレキシブル基板について説明する。図１８に示すフレキシブル基板５０１では、基幹部１１の長手方向に沿って複数の張出部１２が並んでいる。個々の張出部１２は基幹部１１の長手方向に対して垂直な方向に延在している。
【００４０】
このような構成を採用することにより、多数の部品３を搭載することができる。図１８に示すフレキシブル基板５０１では、基幹部１１の片側にのみ張出部１２が設けられているが、これはあくまで一例であり、張出部１２は基幹部１１の両側に設けられていてもよい。
【００４１】
（実施の形態６）
図１９を参照して、本発明に基づく実施の形態６におけるフレキシブル基板について説明する。本実施の形態におけるフレキシブル基板の平面図を図１９に示す。
【００４２】
本実施の形態におけるフレキシブル基板６０１は、表面または内部に配線を含む基板１と、基板１の表面または内部に配置され、前記配線に電気的に接続された部品３と、基板１の表面に設けられた外部接続導体４とを備える。平面的に見て基板１は、外部接続導体４が配置された基幹部１１と、基幹部１１から張り出した張出部１２とを含む。張出部１２は、基幹部１１との接続箇所に設けられた第１くびれ部２１と、第１くびれ部２１の先に設けられている。第１くびれ部２１より幅が広くなった第１幅広部３１とを有する。部品３は第１幅広部３１に配置されている。
【００４３】
本実施の形態ではさらに好ましいことに、張出部１２は、第１幅広部３１の先に第２くびれ部２２を有し、第２くびれ部２２の先に第２幅広部３２を有し、第２幅広部３２にも部品３が配置されている。
【００４４】
本実施の形態では、張出部が、第１幅広部の先にさらに第２幅広部を有しているので、張出部により多くの部品を配置することができる。
【００４５】
（実施の形態７）
図２０を参照して、本発明に基づく実施の形態７におけるフレキシブル基板について説明する。本実施の形態におけるフレキシブル基板の平面図を図２０に示す。本実施の形態におけるフレキシブル基板７０１は、基本的な構成は実施の形態６で説明したフレキシブル基板６０１と共通しているが、以下の点で異なる。
【００４６】
フレキシブル基板７０１においては、基幹部１１から第１くびれ部２１の側を見たときに、第２くびれ部２２は第１くびれ部２１とは重ならない位置にある。
【００４７】
本実施の形態では、実施の形態１または２で述べた効果を得ることができ、第１幅広部３１に設置された部品３には曲げがほぼ伝わらず、第１幅広部３１における部品３および部品３に対する電気的接続箇所に大きな曲げ応力が生じることは回避される。
【００４８】
本実施の形態では、さらに、第２くびれ部２２が第１くびれ部２１とは重ならない位置にあるので、基幹部１１を曲げた際の基幹部１１から張出部１２への曲げはたとえば矢印９３のように伝わるが、切込み９ｃに遮られてその先へは伝わらない。
【００４９】
したがって、第２幅広部３２に対しては曲げの伝達がより確実に遮断され、第２幅広部３２に設置された部品３には曲げがより確実に伝わらないようにすることができる。したがって、第２幅広部３２における部品３および部品３に対する電気的接続箇所に大きな曲げ応力が生じることは回避される。したがって、フレキシブル基板７０１が他の部材に実装されるために曲げられることによる電気的接続の信頼性の低下を抑えることができる。
【００５０】
さらに発展させた形として、たとえば図２１に示すフレキシブル基板７０２のような構成も考えられる。フレキシブル基板７０２は、第２幅広部３２の先に第３くびれ部２３を有し、第３くびれ部２３の先に第３幅広部３３を有し、第３幅広部３３の先に第４くびれ部２４を有し、第４くびれ部２４の先に第４幅広部３４を有する。このように、くびれ部と幅広部とを交互に繰り返すことによって張出部１２を延長することが可能である。
【００５１】
ここまでの各実施の形態では、フレキシブル基板は、いずれの箇所でも厚みが同じであることを前提に説明してきたが、本発明に基づくフレキシブル基板は、いずれの箇所でも厚みが同じであるとは限らず、部分によって厚みが異なっていてもよい。たとえば基幹部の中に部位によって厚みが異なる箇所があってもよく、基幹部と張出部とで厚みが異なっていてもよい。
【００５２】
ここまでの各実施の形態では、フレキシブル基板が備える部品はいずれも同じ外形のものであることを前提に図示して説明してきたが、フレキシブル基板が備える部品は同じ外形とは限らない。部品の形状、サイズ、種類は適宜異なるものが混在していてもよい。
【００５３】
なお、今回開示した上記実施の形態はすべての点で例示であって制限的なものではない。本発明の範囲は上記した説明ではなくて請求の範囲によって示され、請求の範囲と均等の意味および範囲内でのすべての変更を含むものである。
【産業上の利用可能性】
【００５４】
本発明は、フレキシブル基板に利用可能である。
【符号の説明】
【００５５】
１  基板、３  部品、４  外部接続導体、８  領域、９，９ａ，９ｂ  切込み、１０  切欠き部、１１  基幹部、１２  張出部、２１  第１くびれ部、２２  第２くびれ部、２３  第３くびれ部、２４  第４くびれ部、３１  第１幅広部、３２  第２幅広部、３３  第３幅広部、３４  第４幅広部、９１  長手方向、９２，９３  矢印、１０１，１０２，１０３，１０４，１０５，２０１，２０２，２０３，２０４，２０５，２０６，３０１，３０２，４０１，４０２，５０１，６０１，７０１，７０２  フレキシブル基板。
【図１】
2014171334.tif 000003
【図２】
2014171334.tif 000004
【図３】
2014171334.tif 000005
【図４】
2014171334.tif 000006
【図５】
2014171334.tif 000007
【図６】
2014171334.tif 000008
【図７】
2014171334.tif 000009
【図８】
2014171334.tif 000010
【図９】
2014171334.tif 000011
【図１０】
2014171334.tif 000012
【図１１】
2014171334.tif 000013
【図１２】
2014171334.tif 000014
【図１３】
2014171334.tif 000015
【図１４】
2014171334.tif 000016
【図１５】
2014171334.tif 000017
【図１６】
2014171334.tif 000018
【図１７】
2014171334.tif 000019
【図１８】
2014171334.tif 000020
【図１９】
2014171334.tif 000021
【図２０】
2014171334.tif 000022
【図２１】
2014171334.tif 000023
【手続補正書】
【提出日】平成27年4月10日(2015.4.10)
【手続補正１】
【補正対象書類名】特許請求の範囲
【補正対象項目名】全文
【補正方法】変更
【補正の内容】
【特許請求の範囲】
【請求項１】
表面または内部に配線を含む基板と、
前記基板の表面または内部に配置され、前記配線に電気的に接続された部品と、
前記基板の表面に設けられた外部接続導体とを備え、
平面的に見て前記基板は、前記外部接続導体が配置された基幹部と、前記基幹部から張り出した張出部とを含み、
前記張出部は、前記基幹部との接続箇所に設けられた第１くびれ部と、前記第１くびれ部の先に設けられ、前記第１くびれ部より幅が広くなった第１幅広部とを有し、前記部品は前記第１幅広部に配置されており、
前記基幹部は、前記第１くびれ部に曲げが伝わるように曲げて使用されるものであり、
前記張出部には、前記基幹部から前記第１くびれ部を介して前記張出部を見たときに見通せる領域を避けるように、前記部品が配置されている、フレキシブル基板。
【請求項２】
前記基幹部が使用のために曲げられる際に前記基幹部の直線状態が維持される方向を曲げ軸方向と定義したときに、前記張出部には、前記基幹部から前記曲げ軸方向に沿って前記第１くびれ部を介して前記張出部を見たときに見通せる領域を避けるように、前記部品が配置されている、請求項１に記載のフレキシブル基板。
【請求項３】
前記張出部は、前記第１幅広部の先に第２くびれ部を有し、前記第２くびれ部の先に第２幅広部を有し、前記第２幅広部にも前記部品が配置されている、請求項１または２に記載のフレキシブル基板。
【請求項４】
前記基幹部から前記第１くびれ部の側を見たときに、前記第２くびれ部は前記第１くびれ部とは重ならない位置にある、請求項３に記載のフレキシブル基板。
【手続補正書】
【提出日】平成28年4月6日(2016.4.6)
【手続補正１】
【補正対象書類名】特許請求の範囲
【補正対象項目名】全文
【補正方法】変更
【補正の内容】
【特許請求の範囲】
【請求項１】
表面または内部に配線を含む基板と、
前記基板の表面または内部に配置され、前記配線に電気的に接続された部品と、
前記基板の表面に設けられた外部接続導体とを備え、
平面的に見て前記基板は、前記外部接続導体が配置された基幹部と、前記基幹部から張り出した張出部とを含み、
前記張出部は、前記基幹部との接続箇所に設けられた第１くびれ部と、前記第１くびれ部の先に設けられ、前記第１くびれ部より幅が広くなった第１幅広部とを有し、前記部品は前記第１幅広部に配置されており、
前記基幹部は、前記第１くびれ部に曲げが伝わるように曲げて使用されるものであり、
前記基幹部が使用のために曲げられる際に前記基幹部の直線状態が維持される方向を曲げ軸方向と定義したときに、前記張出部には、前記基幹部から前記曲げ軸方向に沿って前記第１くびれ部を介して前記張出部を見たときに見通せる領域を避けるように、前記部品が配置されている、フレキシブル基板。
【請求項２】
前記張出部は、前記第１幅広部の先に第２くびれ部を有し、前記第２くびれ部の先に第２幅広部を有し、前記第２くびれ部は、前記曲げ軸方向に沿って前記第１くびれ部を介して前記張出部を見たときに見通せる領域を避けるように配置されており、前記第２幅広部にも前記部品が配置されている、請求項１に記載のフレキシブル基板。
【請求項３】
前記張出部は、前記第１幅広部の先に第２くびれ部を有し、前記第２くびれ部の先に第２幅広部を有し、前記第２くびれ部は、前記曲げ軸方向に沿って前記第１くびれ部を介して前記張出部を見たときに見通せる領域に配置されており、前記第２幅広部にも前記部品が配置されており、前記第２幅広部には、前記基幹部から前記曲げ軸方向に沿って前記第１くびれ部および前記第２くびれ部を介して前記張出部を見たときに見通せる領域を避けるように、前記部品が配置されている、請求項１に記載のフレキシブル基板。
【手続補正書】
【提出日】平成28年10月20日(2016.10.20)
【手続補正１】
【補正対象書類名】特許請求の範囲
【補正対象項目名】全文
【補正方法】変更
【補正の内容】
【特許請求の範囲】
【請求項１】
表面または内部に配線を含む基板と、
前記基板の表面または内部に配置され、前記配線に電気的に接続された部品と、
前記基板の表面に設けられた外部接続導体とを備え、
平面的に見て前記基板は、前記外部接続導体が配置された基幹部と、前記基幹部から張り出した張出部とを含み、
前記張出部は、前記基幹部との接続箇所に設けられた第１くびれ部と、前記第１くびれ部の先に設けられ、前記第１くびれ部より幅が広くなった第１幅広部とを有し、前記部品は前記第１幅広部に配置されており、
前記基幹部は、前記第１くびれ部に曲げが伝わるように曲げて使用されるものであり、
前記基幹部が使用のために曲げられる際に前記基幹部の直線状態が維持される方向を曲げ軸方向と定義したときに、前記張出部には、前記基幹部から前記曲げ軸方向に沿って前記第１くびれ部を介して前記張出部を見たときに見通せる領域を避けるように、前記部品が配置されている、フレキシブル基板。
【請求項２】
前記張出部は、前記第１幅広部の先に第２くびれ部を有し、前記第２くびれ部の先に第２幅広部を有し、前記第２くびれ部は、前記曲げ軸方向に沿って前記第１くびれ部を介して前記張出部を見たときに見通せる領域を避けるように配置されており、前記第２幅広部には前記配線に電気的に接続された部品が配置されている、請求項１に記載のフレキシブル基板。
【請求項３】
前記張出部は、前記第１幅広部の先に第２くびれ部を有し、前記第２くびれ部の先に第２幅広部を有し、前記第２くびれ部は、前記曲げ軸方向に沿って前記第１くびれ部を介して前記張出部を見たときに見通せる領域に配置されており、前記第２幅広部にも前記部品が配置されており、前記第２幅広部には、前記基幹部から前記曲げ軸方向に沿って前記第１くびれ部および前記第２くびれ部を介して前記張出部を見たときに見通せる領域を避けるように、前記部品が配置されている、請求項１に記載のフレキシブル基板。
【国際調査報告】
2014171334.tif 000024
2014171334.tif 000025
2014171334.tif 000026
2014171334.tif 000027